(57)【要約】【課題】反転据え置き状態であおることが出来、通常の据え置き状態時に外装上ケースの美観を損ねないプロジェクタを提供すること。【解決手段】光源と、該光源を収納するための上方の外装と、該光源を収納するための下方の外装と、あおり手段を備えたプロジェクタにおいて、該あおり手段を収納するための凹部および前記あおり手段を覆うためのカバー部材が前記上方の外装に設けられたことを特徴とする。【選択図】図４
2017068180.tif 000002
【特許請求の範囲】
【請求項１】
光源と、
該光源を収納するための上方の外装と、
該光源を収納するための下方の外装と、
あおり手段を備えたプロジェクタにおいて、
該あおり手段を収納するための凹部および前記あおり手段を覆うためのカバー部材が前記上方の外装に設けられたことを特徴とするプロジェクタ。
【請求項２】
前記カバー部材に爪形状が設けられ、前記上方の外装に前記カバー部材の爪形状を弾性変形させるための突起を設けたことを特徴とする請求項１に記載のプロジェクタ。
【請求項３】
前記カバー部材が前記上方の外装に対してスライドすることを特徴とする請求項１に記載のプロジェクタ。  
【発明の詳細な説明】
【技術分野】
【０００１】
本発明は、プロジェクタに関し、特にプロジェクタのあおり調整用の脚に関する。
【背景技術】
【０００２】
従来、ホームユースでプロジェクタを使用する際に、スクリーンと対向する壁面に本棚等の家具があるため、プロジェクタからスクリーンまでの投写距離を十分に確保できない場合がある。
【０００３】
そこで、プロジェクタを上下ひっくり返してあおり方向を下方とした反転据え置きの状態で、スクリーンと対向する位置にある家具上に設置して使用する方法が考えられる。
【０００４】
特許文献１には、反転据え置きで使用された際に、外装上ケースに設けられた操作パネルのスイッチが誤動作されないように外装上ケースの上面部分に突起が設けられた構成が開示されている。
【先行技術文献】
【特許文献】
【０００５】
【特許文献１】特開２００４−８５７２６号公報
【発明の概要】
【発明が解決しようとする課題】
【０００６】
しかしながら、上述の特許文献１に開示された従来技術では、外装上側に突起を設けている構成であるため、プロジェクタの投射画像をあおることが出来なかった。
【０００７】
また、一般的にプロジェクタを設置する面に傷が付かないようにプロジェクタの上面部分の突起にはゴム等の柔らかい材質を使用する。
【０００８】
しかし、使用環境によって上面部分の突起にごみが大いに付着してしまうため、据え置きで使用する際に、突起が露出していると、美観を損ねてしまう恐れがあった。
【０００９】
そこで、本発明の目的は、反転据え置き状態であおることが出来、通常の据え置き状態時に外装上ケースの美観を損ねないプロジェクタを提供することにある。
【課題を解決するための手段】
【００１０】
上記の目的を達成するために、本発明に係るプロジェクタは、
光源と、該光源を収納するための上方の外装と、該光源を収納するための下方の外装と、あおり手段を備えたプロジェクタにおいて、該あおり手段を収納するための凹部および前記あおり手段を覆うためのカバー部材が前記上方の外装に設けられたことを特徴とする。
【発明の効果】
【００１１】
本発明によれば、反転据え置き状態であおることが出来、通常の据え置き状態時に外装上ケースの美観を損ねないプロジェクタを提供することができる。
【図面の簡単な説明】
【００１２】
【図１】本発明の第１の実施形態におけるプロジェクタの内部を示す図
【図２】本発明の第１の実施形態におけるプロジェクタの外観図
【図３】本発明の第１の実施形態における調整脚ユニットの分解斜視図
【図４】本発明の第１の実施形態における調整脚ユニットが収納された際の断面図
【図５】本発明の第２の実施形態におけるプロジェクタの外観図
【図６】本発明の第２の実施形態における調整脚ユニットが収納された際の断面図
【発明を実施するための形態】
【００１３】
以下に、本発明の好ましい実施の形態を、添付の図面に基づいて詳細に説明する。
【実施例１】
【００１４】
図１は本発明の第１の実施形態におけるプロジェクタの内部を示す図である。
【００１５】
１は光源であるランプである。２は不図示の複数のバネ部材にてランプ１および後述する防爆凸レンズ３を保持するランプホルダである。３はランプ１からの光を集光する機能を備えた防爆凸レンズである。４はランプ１およびランプホルダ２および防爆凸レンズ３および不図示の複数の部材によって構成されるランプユニットである。αはランプ１からの光を入射する照明光学系である。βは照明光学系からの出射光を入射するＲ・Ｇ・Ｂの３色用の液晶パネルを備えた色分離合成光学系である。
【００１６】
５は色分離合成光学系βからの出射光を入射して図示せぬスクリーン（被投射面）に画像を投射する投射レンズユニットであり、投射レンズユニット５内には後述する投射レンズ光学系を収納している。６はランプユニット４、照明光学系α、色分離合成光学系βを収納するとともに投射レンズユニット５が固定される光学ボックスである。７は電源であり、電源７には不図示のＡＣインレットを有し後述する外装上ケース１７に組み込まれ電源７に電気的に接続され筺体内に電源が供給される。８はバラストであり、ランプ１を点灯するための点灯電源装置。バラスト８は電源７およびランプ１と電気的に接続される。９は後述する外装上ケース１７に設けられた吸気口１７ａから外気を吸入した空気の排気にて色分離合成系βの光学素子を冷却する光学冷却ファンＡである。
【００１７】
１０は後述する外装上ケース１７に設けられた吸気口１７ａから外気を吸入した空気の排気にて色分離合成系βの光学素子を冷却する光学冷却ファンＢである。１１は光学冷却ファンＡ９と光学冷却ファンＢ１０を保持し、後述する吸気口１７ａから外気を吸入し、光学冷却ファンＡ９と光学冷却ファンＢ１０の吸気口に導風する光学冷却ファン吸気ダクト。１３は排気ファンであり、排気ファン１３の吸気する空気によって電源８、バラスト９を冷却し、排気によってランプ１およびその周辺を冷却し後述する排気口１７ｂより筐体外へ排熱する。１４は排気ファン１３を保持する排気ファンホルダである。
【００１８】
１５はランプ冷却ファンであり、ランプ冷却ファン１５は色分離合成系βの光学素子を冷却した空気を吸気し、排気によってランプ１を冷却する。１６はランプ冷却ファン１５から排気された空気を導風するランプ冷却ダクトである。１７は外装上ケースであり、筐体内に外気を取り込む前面吸気口１７ａと側面吸気口１７ｂおよび筐体外に排熱する排気口１７ｃを備える。１８は吸気口１７ａに近接して取り付き筐体内へ外気を吸入する際に筐体内に塵埃が入ることを抑制するエアフィルタである。
【００１９】
１９は画像・制御等の各種信号を取り込むコネクタ（インターフェース）が搭載され、前述した電源７からの電力により液晶パネルの駆動、及びランプ１への点灯指令、複数のファンへの駆動指令を送ることを主とする駆動・制御基板ユニットである。駆動・制御基板ユニット１９は色分離合成光学系βに配置される液晶パネルから出るＦＰＣが接続される。
【００２０】
２０は側面吸気口１８ｂから吸気した後、排気によって後述する偏光変換素子４５を冷却する偏光変換素子冷却ファン。また、偏光変換素子冷却ファン２０はシロッコファンである。２１は偏光変換素子冷却ファン２０から排気された空気を導風する偏光変換素子冷却ダクトである。
【００２１】
図２は本発明の第１の実施形態におけるプロジェクタ外観を示す図である。
【００２２】
２２は外装上ケース１７と組み合わせることでプロジェクタ内部を保護する外装下ケースである。２３は外装上ケース１７の四隅に後述する調整脚ユニットを収納するための凹部を覆い隠すためのカバーが設けられている。
【００２３】
図３は本発明の第1の実施形態における調整脚ユニットの分解斜視図である。
【００２４】
２４はプロジェクタが設置される際の設置面を有する足である。設置面との反対面は両面テープになっており、ダイヤル２６に対して貼られる。２５は投射画像のあおりを調整するための螺子シャフトである。２６はユーザーが投射画像のあおりを調整するために操作するダイヤルである。ユーザーが摘みやすいように外観はローレットが刻まれている。２７は螺子シャフト２５をダイヤル２６に対して締結するためのナットである。
【００２５】
図４は本発明の第１の実施形態における調整脚ユニットが収納された状態の断面図である。
【００２６】
図２のA-A’断面を示した図でおり、調整脚４つのうちの１つを示しているが、残りの３箇所も同様の構成である。外装上ケース１７の１７ａは調整脚ユニットが収納されるための凹部である。１７ｂは螺子シャフト２５を進退させるために設けられたネジ部である。１７ｃは外装上ケースに設けられた突起部である。カバー２３の２３ａは外装上ケースに設けられた突起部１７ｃによって弾性変形される爪部である。カバー２３を外から力を加えることで爪部２３ａが、カバー１７の突起部１７ｃから外れるため、カバー２３が取り外せる。カバー２３を取り外すことで、露出した調整脚ユニットを所望の角度で投射画像をあおることが可能となる。また、据え置きの際にはカバー２３を取り付けることで、調整脚ユニットのゴム２４が露出しないため、美観を損なうことを回避できる。
【００２７】
一方、外装下ケースの２２ａは調整脚ユニットの螺子シャフト２５を進退させるために設けられたネジ部である。調整脚ユニットが外装下ケース２２に対して、常に露出する構成となる。
【実施例２】
【００２８】
以下、図５、図６により本発明の第２の実施形態について説明していく。
【００２９】
図５は本発明の第２の実施形態におけるプロジェクタの外観図である。
【００３０】
３２は外装上ケース１７の四隅に後述する調整脚ユニットを収納するための凹部を覆い隠すためのカバーが設けられている。カバー３２の３２ａはユーザーが摘むためのリブである。このリブ３２ａを摘んで矢印Ｂが示す方向にスライドできる。内側にスライドさせることで調整脚ユニットが露出し、投射画像のあおりを調整することが可能となる。
【００３１】
図６は本発明の第２の実施形態における調整脚が収納された状態の断面図である。
【００３２】
図５のＣ-Ｃ’断面を示した図でおり、調整脚４つのうちの１つを示しているが、残りの３箇所も同様の構成である。外装上ケース３１の３１ａは調整脚ユニットが収納されるための凹部である。３１ｂは螺子シャフト２５を進退させるために設けられたネジ部である。３１ｃはカバー３２をスライドさせるための溝である。カバー３２がこの溝内に収まることで、溝を形成しているリブがガイドとなるため、スライド可能となる。この構成でも、カバー３２によって調整脚ユニットのゴム２４が露出しないように調整できるため、美観を損なうことを回避できる。また、第２の実施形態の構成では、カバー３２を外装上ケース３１に対して着脱する必要がないため、カバーの紛失の恐れもない。
【００３３】
以上、本発明の好ましい実施形態について説明したが、本発明はこれらの実施形態に限定されず、その要旨の範囲内で種々の変形及び変更が可能である。
【符号の説明】
【００３４】
１７  外装上ケース、１７ａ  凹部、１７ｂ  ネジ部、１７ｃ  突起、
２２  外装下ケース、２２ａ  ネジ部、２３  カバー、２３ａ  爪部、２４  設置足、
２５  螺子シャフト、２６  ダイヤル、２７  ナット
【図１】
2017068180.tif 000003
【図２】
2017068180.tif 000004
【図３】
2017068180.tif 000005
【図４】
2017068180.tif 000006
【図５】
2017068180.tif 000007
【図６】
2017068180.tif 000008